(57)【特許請求の範囲】
【請求項１】
移動局装置が、アクセスを許容する移動局装置を制限している基地局装置である特定契約者用基地局装置を含む複数の基地局装置の中からアクセスする基地局装置を再選択するセル再選択方法であって、
前記移動局装置が、前記基地局装置各々からの信号の受信レベルに基づき、予め決められた移行条件を満たす基地局装置を選択する第１の過程と、
前記移動局装置が、前記第１の過程にて選択した基地局装置に、前記特定契約者用基地局装置が複数含まれるときは、予め設定された周波数と優先度との対応付けを用いて、前記複数の特定契約者用基地局装置の中から、アクセスする基地局装置を再選択する第２の過程と、
前記移動局装置が、前記基地局装置各々からの信号の受信レベルを測定する第３の過程と、
前記移動局装置が、同じ周波数の基地局装置の中で、前記第３の過程にて測定した受信レベルが最も高い基地局装置が、前記特定契約者用基地局装置であるときは、予め設定された周波数と優先度との対応付けのうち、該特定契約者用基地局装置の周波数と対応付けられた優先度を、特定契約者用基地局装置ではない基地局装置に対応付けられる最も高い優先度よりも高い優先度に更新する第４の過程と、
を有し、
前記第１の過程において、前記移動局装置は、前記第４の過程にて更新した対応付けを参照して、予め決められた移行条件を満たす基地局装置を選択する、
セル再選択方法。
【請求項２】
前記第２の過程の前記対応付けは、前記第４の過程にて更新される前の前記対応付けである、請求項１に記載のセル再選択方法。
【請求項３】
前記第２の過程において、前記移動局装置は、前記第１の過程にて選択した基地局装置に、前記特定契約者用基地局装置が複数含まれ、かつ、該特定契約者用基地局装置の受信レベルが予め設定された閾値よりも低いときは、該特定契約者用基地局装置のうち、最も受信レベルの高いものをアクセスする基地局装置とする、請求項２に記載のセル再選択方法。
【請求項４】
アクセスを許容する移動局装置を制限している基地局装置である特定契約者用基地局装置を含む複数の基地局装置の中からアクセスする基地局装置を再選択する移動局装置であって、
前記基地局装置各々からの信号の受信レベルに基づき、予め決められた移行条件を満たす基地局装置を選択する第１処理部と、
前記第１処理部にて選択した基地局装置に、前記特定契約者用基地局装置が複数含まれるときは、予め設定された周波数と優先度との対応付けを用いて、前記複数の特定契約者用基地局装置の中から、アクセスする基地局装置を再選択する第２処理部と、
前記基地局装置各々からの信号の受信レベルを測定する第３処理部と、
同じ周波数の基地局装置の中で、前記第３処理部にて測定した受信レベルが最も高い基地局装置が、前記特定契約者用基地局装置であるときは、予め設定された周波数と優先度との対応付けのうち、該特定契約者用基地局装置の周波数と対応付けられた優先度を、特定契約者用基地局装置ではない基地局装置に対応付けられる最も高い優先度よりも高い優先度に更新する第４処理部と、
を備え、
前記第１処理部は、前記第４処理部にて更新した対応付けを参照して、予め決められた移行条件を満たす基地局装置を選択する、
移動局装置。
【発明の詳細な説明】
【技術分野】
【０００１】
本発明は、セル再選択方法および移動局装置に関する。
本願は、２００９年７月７日に、日本に出願された特願２００９−１６０９２６号に基づき優先権を主張し、その内容をここに援用する。
【背景技術】
【０００２】
移動体通信の規格であるＷ−ＣＤＭＡ（Wideband Code Division Multiple Access；広帯域符号分割多元接続）、ＬＴＥ（Long Term Evolution；（第３世代の）長期進化）、ＬＴＥ−Ａ（LTE-Advance；ＬＴＥの発展）において、サービスエリアの拡張、個人使用等を目的に、小型の無線基地局Ｈｏｍｅ  （ｅ）ＮｏｄｅＢを導入することが検討されている。Ｈｏｍｅ  （ｅ）ＮＢでは、基地局へのアクセスを許容するＵＥ（User Equipment；移動局装置）を制限することができ、制限がかけられた基地局をＣＳＧ（Closed Subscriber Group；特定契約者用基地局装置）と呼ぶ。現在、３ＧＰＰ（3rd Generation Partnership Project；第３世代パートナーシッププロジェクト）において標準化が進められている。Ｈｏｍｅ  （ｅ）ＮＢに関するＲｅｑｕｉｒｅｍｅｎｔは非特許文献１の８章に定義されている。
以下で、ＣＳＧに関する３ＧＰＰ規格について説明する。【０００３】
ＣＳＧへの接続可否は、ＣＳＧの所有者またはオペレーターが、移動局装置ごとに任意に設定することができる。また、接続可能とする移動局装置に対してＣＳＧへの接続を許容する期間（以降、在圏可能時間と表す）を設定することができる。在圏可能時間はＮｅｔｗｏｒｋ側で管理され、在圏可能時間が満了すると、その移動局装置はＣＳＧセルへの在圏が許容されなくなる。３ＧＰＰ  Ｒｅｌ−８の規格では、在圏可能時間満了時に通信中であった場合、その通信呼は強制的に切断される。【０００４】
ＣＳＧへの接続可否の情報が変更されると、該当移動局装置に対してその情報が通知される。この情報に基づいて移動局装置の保持する接続許可ＣＳＧリスト（ａｌｌｏｗｅｄ  ＣＳＧ  ｌｉｓｔ）が更新されることになる。ただし、接続許可ＣＳＧリストの詳細な更新手順は、３ＧＰＰにおいて未定義である。
ＣＳＧへの接続可否の判定は、移動局装置がＣＳＧセルへのセル移行処理を実行する際に、以下の３ステップで実施される。
ステップ１）ＣＳＧセルのシステム情報（Ｓｙｓｔｅｍ  ｉｎｆｏｒｍａｔｉｏｎ）で報知されているＣＳＧ識別情報（ＣＳＧ  ｉｄｅｎｔｉｔｙ）を取得する。
ステップ２）移動局装置が保持している接続許可ＣＳＧリスト内に、受信したＣＳＧ識別情報が含まれるかを確認する。
ステップ３）含まれる場合、そのＣＳＧセルへの接続が可能であると判定する。含まれない場合、そのＣＳＧセルへの接続は許容されていないと判定する。【０００５】
ＬＴＥでは、サービス周波数ごとに優先度を持ち、周辺セル測定時、および、セル再選択評価時に優先度が考慮される。サービス周波数と優先度との対応は、基地局装置からのシステム情報（Ｓｙｓｔｅｍ  ｉｎｆｏｒｍａｔｉｏｎ）内で通知される。システム情報で通知されるパラメータの詳細は非特許文献３で定義されている。
周辺セルの測定開始条件は非特許文献２の５．２．４．２章で次のように定義されている。
１）  在圏セルの周波数優先度より高い優先度を持つ周波数の場合、
−  常に測定する。
２）  在圏セルの周波数優先度より低いか等しい優先度を持つ周波数の場合、
−  在圏セルの受信品質がある閾値を下回った場合のみ測定する。
また、セル再選択評価方法は非特許文献２の５．２．４．５章、５．２．４．６章で次のように定義されている。
ａ）再選択評価を行うセルの周波数優先度 > 在圏しているセルの周波数優先度の場合、
−  評価セルの受信レベル(SnonServingCell,x)がある時間(TreselectionRAT)継続して閾値(Threshx, high)より高い場合に評価セルに移行する。
ｂ）再選択評価を行うセルの周波数優先度= 在圏しているセルの周波数優先度の場合、
−  受信レベルに応じてセルのランク付けを行い、評価セルのランクが在圏中のセルのランクより高い状態をある時間(TreselectionRAT)継続した場合に評価セルに移行する。
ｃ）再選択評価を行うセルの周波数優先度 < 在圏しているセルの周波数優先度の場合、
−  在圏セルの受信レベル(SServingCell)がある閾値(Threshserving, low)より低く、かつ、評価セルの受信レベル(SnonServingCell,x)が別の閾値(Threshx, low)よりも高い状態をある時間(TreselectionRAT)継続した場合に評価セルに移行する。【０００６】
ＧＳＭ、Ｗ−ＣＤＭＡ、ＬＴＥでのセル選択／再選択は、”ｂｅｓｔ  ｃｅｌｌ  ｐｒｉｎｃｉｐｌｅ”と言われる、受信レベルが最も高いセルを選択するというコンセプトが採用されている。また、ＬＴＥではセルサーチ時に優先度が高い周波数を常に測定対象とすること、および、優先度が高いほどセル移行条件が緩和されること、により優先度が高い周波数を選択しやすい状況が実現されている。ひとつの周波数帯へのセル配置は以下の３パターンが存在する。
パターンＡ）周波数内にＣＳＧのみを配置
パターンＢ）周波数内に通常のセル（＝マクロセル）のみを配置
パターンＣ）周波数内にマクロセルとＣＳＧを配置【０００７】
さらに、３ＧＰＰ  ＲＡＮ２（ＴＳＧ  ＲＡＮ  ＷＧ２；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ  Ｗｏｒｋｉｎｇ  Ｇｒｏｕｐ  ２）ではセル再選択時に絶対優先度（Ｉｍｐｌｉｃｉｔ  ｐｒｉｏｒｉｔｙ）を使用することで合意している（非特許文献４）。絶対優先度の考え方は以下の２つのルールからなる。
ルール１）ある周波数でＣＳＧの受信レベルが最も良い場合、その周波数の優先度は、最も高い値を持つものとする。
ルール２）在圏中のセルがＣＳＧだった場合、その周波数の優先度は最も高い値を持つものとする。
絶対優先度の導入にあたり、複数の周波数で、ＣＳＧが最も受信レベルが良いセルとなった場合にどのようにセルを選択するかという点については、定義されていない。ＲＡＮ２ではこの場合の動作を移動局装置の実装依存とすることで合意されている。【０００８】
ＬＴＥとは別に、特許文献１には、各セルに優先度が設定されており、端末はセルの優先度に基づいて移行先を決定する方法が記載されている。しかしながら、ＬＴＥではセルに対して優先度は設定されておらず、また、周波数の優先度をセルの優先度と考えたとしても、絶対優先度が適用される条件では、複数のＣＳＧは同じ優先度を持つことになるため、従来の方法を適用することができない。
【先行技術文献】
【特許文献】
【０００９】
【特許文献１】特開２００７−４３７５４号公報
【非特許文献】
【００１０】
【非特許文献１】3GPP TS 22.011 v8.5.0 : “Service accessibility”
【非特許文献２】3GPP TS 36.304 v8.5.0 : “User Equipment (UE) procedures in idle mode”
【非特許文献３】3GPP TS 36.331 v8.5.0 : “Radio Resource Control (RRC) - Protocol Specification”
【非特許文献４】R2-090810 “Report of 3GPP TSG RAN WG2 meeting #64”
【発明の概要】
【発明が解決しようとする課題】
【００１１】
上述のように、ＬＴＥでは、複数の周波数で、ＣＳＧが最も受信レベルが良いセルとなった場合のセル再選択方法については定義されていない。このため、ＬＴＥにおいて、複数周波数でＣＳＧが最良セルとなった場合、例えば、”best cell principle”に基づき、ＣＳＧの中で最も受信レベルが高いものを選択するなどの選択方法を用いると、次の２つの問題が発生する。【００１２】
移動局装置は、セルの受信レベルが高いが、優先度が低い周波数のＣＳＧに移行した後、該ＣＳＧの受信レベル劣化に伴い同周波数のマクロセルに移行すると、優先度が低いために、前述したように多くの別周波数の測定を行う必要がある。これにより、移動局装置の電力消費を増大させてしまうという問題がある。
また、優先度が低い周波数のセルを再選択すると、当該セルの受信レベル劣化に伴い、他のセルに移行し、その後、当該セルの受信レベルが向上すると、当該セルに移行するというように、頻繁にセル移行を繰り返す、いわゆるピンポン現象が発生することがあるという問題がある。【００１３】
本発明は、このような事情に鑑みてなされたもので、その目的は、測定を行う周波数の数を抑えるとともに、ピンポン現象の発生を抑えることができるセル再選択方法および移動局装置を提供することにある。
【課題を解決するための手段】
【００１４】
（１）この発明は上述した課題を解決するためになされたもので、本発明のセル再選択方法は、移動局装置が、アクセスを許容する移動局装置を制限している基地局装置である特定契約者用基地局装置を含む複数の基地局装置の中からアクセスする基地局装置を再選択するセル再選択方法であって、前記移動局装置が、前記基地局装置各々からの信号の受信レベルに基づき、予め決められた移行条件を満たす基地局装置を選択する第１の過程と、前記移動局装置が、前記第１の過程にて選択した基地局装置に、前記特定契約者用基地局装置が複数含まれるときは、予め設定された周波数と優先度との対応付けを用いて、前記複数の特定契約者用基地局装置の中から、アクセスする基地局装置を再選択する第２の過程とを有する。【００１５】
（２）また、この発明のセル再選択方法は、上述のセル再選択方法であって、前記移動局装置が、前記基地局装置各々からの信号の受信レベルを測定する第３の過程と、前記移動局装置が、同じ周波数の基地局装置の中で、前記第１の過程にて測定した受信レベルが最も高い基地局装置が、前記特定契約者用基地局装置であるときは、予め設定された周波数と優先度との対応付けのうち、該特定契約者用基地局装置の周波数と対応付けられた優先度を、最も高い優先度に更新する第４の過程と、を有し、前記第１の過程において、前記移動局装置は、前記第４の過程にて更新した対応付けを参照して、予め決められた移行条件を満たす基地局装置を選択する。【００１６】
（３）また、この発明のセル再選択方法は、上述のセル再選択方法であって、前記第２の過程の前記対応付けは、前記第４の過程にて更新される前の前記対応付けである。【００１７】
（４）また、この発明のセル再選択方法は、上述のセル再選択方法であって、前記第２の過程において、前記移動局装置は、前記第１の過程にて選択した基地局装置に、前記特定契約者用基地局装置が複数含まれ、かつ、該特定契約者用基地局装置の受信レベルが予め設定された閾値よりも低いときは、該特定契約者用基地局装置のうち、最も受信レベルの高いものをアクセスする基地局装置とする。【００１８】
（５）また、この発明の移動局装置は、アクセスを許容する移動局装置を制限している基地局装置である特定契約者用基地局装置を含む複数の基地局装置の中からアクセスする基地局装置を再選択する移動局装置であって、前記基地局装置各々からの信号の受信レベルに基づき、予め決められた移行条件を満たす基地局装置を選択し、該選択した基地局装置に、前記特定契約者用基地局装置が複数含まれるときは、予め設定された周波数と優先度との対応付けを用いて、前記複数の特定契約者用基地局装置の中から、アクセスする基地局装置を再選択する再選択部を具備する。
【発明の効果】
【００１９】
この発明によれば、セル再選択による移行後に、該セルの受信レベルが低下し、同一周波数の基地局装置にさらに移行したときに、優先度が低くなることを抑えることができ、測定を行う周波数の数を抑えるとともに、頻繁にセル移行を繰り返すピンポン現象の発生を抑えることができる。
【図面の簡単な説明】
【００２０】
【図１】この発明の第１の実施形態による移動通信システムの構成を示す概略図である。
【図２】同実施形態における移動局装置２０の構成を示す概略ブロック図である。
【図３】同実施形態における判定条件記憶部２３２が記憶する周波数優先度テーブルの内容例を示す図である。
【図４】同実施形態における判定条件記憶部２３２が記憶するセル情報テーブルの内容例を示す図である。
【図５】同実施形態における制御部２３による再選択要否の決定方法とセル再選択方法とを説明するフローチャートである。
【図６】同実施形態におけるセル再選択部２３４が一時的に記憶する更新した周波数優先度テーブルの内容例を示す図である。
【図７】この発明の第２の実施形態における移動局装置２０ａの構成を示す概略ブロック図である。
【図８】同実施形態における制御部２３ａが再選択対象のセルを決定する処理を説明するフローチャートである。
【図９】同実施形態における再選択処理を説明するフローチャートである。
【発明を実施するための形態】
【００２１】
［第１の実施形態］
以下、図面を参照して、本発明の第１の実施形態について説明する。図１は、この発明の第１の実施形態による移動通信システムの構成を示す概略図である。本実施形態における移動通信システムは、特定契約者用基地局装置１０、１１、基地局装置３０、３１、移動局装置２０を有する。特定契約者用基地局装置１０は、アクセス可能な移動局装置を制限しているＣＳＧ（Closed Subscriber Group）であり、セルＡ０を通信範囲とする基地局装置である。特定契約者用基地局装置１１は、アクセス可能な移動局装置を制限しているＣＳＧであり、セルＡ１を通信範囲とする基地局装置である。基地局装置３０は、アクセス可能な移動局装置の制限を行っていない基地局装置であり、マクロセルＢ０を通信範囲とする基地局装置である。基地局装置３１は、アクセス可能な移動局装置の制限を行っていない基地局装置であり、マクロセルＢ１を通信範囲とする基地局装置である。移動局装置２０は、特定契約者用基地局装置１０、１１にアクセス可能な移動局装置である。なお、以下では、移動局装置２０が、特定契約者用基地局装置１０のセルＡ０と、特定契約者用基地局装置１１のセルＡ１と、基地局装置３０のセルＢ０とが重複している領域に位置しているとして説明する。
【００２２】
図２は、本実施形態における移動局装置２０の構成を示す概略ブロック図である。移動局装置２０は、アンテナ２１、無線受信部２２、制御部２３、無線送信部２４を有する。制御部２３は、受信レベル測定部２３１、判定条件記憶部２３２、セル再選択部２３４を有する。無線受信部２２は、制御部２３による設定に従った周波数帯域に対応する基地局装置からの信号を、アンテナ２１を介して受信し、ベースバンド周波数にダウンコンバートした後、復調して、受信データおよび制御データを得る。無線受信部２２は、これらのうち、制御データを制御部２３に出力する。無線送信部２４は、制御部２３から受けた制御データと、送信データとを変調した後、制御部２３による設定に従った周波数帯域にアップコンバートして、アンテナ２１を介して送信する。これにより、無線送信部２４は、該周波数帯域に対応する基地局装置に、制御データおよび送信データを送信する。制御部２３は、後述するように通信するセルを決定する。制御部２３は、さらに、該セルの周波数帯域を無線受信部２２、無線送信部２４に設定して、該セルの基地局装置との通信を可能にする。
【００２３】
受信レベル測定部２３１は、在圏中のセルおよび周辺基地局のセルの受信レベルの測定を行い、測定結果を判定条件記憶部２３２に記憶させる。ここで、受信レベル測定部２３１は、測定対象のセルの周波数帯域を無線受信部２２に設定し、該周波数帯域中の参照信号（Reference Signal）を用いて、信号対雑音比（Signal to Noise Ratio；S/N）を算出して受信レベルとしてもよいし、同様に該周波数帯域中の参照信号を用いて、受信信号電力（Reference Signal Receive Power；RSRP）を算出して受信レベルとしてもよい。また、ＲＳＲＰを用いて算出する下りリンクのＰａｔｈｌｏｓｓ、ＲＳＲＰとシステム情報で通知されるパラメータから算出するＳ値を使用しても良い。なお、参照信号は、移動局装置２０において既知の信号である。
【００２４】
判定条件記憶部２３２は、制御データの一種であるシステム情報（System information）にて基地局装置から通知された、周波数優先度情報および周辺セル情報を記憶する。また、判定条件記憶部２３２は、在圏中のセルに関するセル情報と、受信レベル測定部２３１が測定した各セルの受信レベルを示す情報とについても記憶する。ここで、周波数優先度情報とは、周波数帯域を示す情報（例えば、中心周波数、あるいは、中心周波数と帯域幅）と、該周波数帯域の原優先度（ここでは、０〜７の値で、大きいほど優先度が高い）を示す情報とを対応付けた情報である。周辺セル情報およびセル情報は、セルを識別する情報と、セル種別と、周波数帯域を示す情報とを対応付けた情報である。なお、セル情報は在圏中のセルについての情報であり、周辺セル情報は在圏中のセルの周辺セルについての情報である。セル再選択部２３４は、判定条件記憶部２３２が記憶する情報に基づき、セルの再選択（アクセスする基地局装置の再選択）の要否を決定する。セルの再選択をすべきときは、セル再選択部２３４は、判定条件記憶部２３２が記憶する情報に基づき、再選択するセルを決定する。再選択要否の決定方法と、セル再選択方法との詳細については、後述する。
【００２５】
図３は、本実施形態における判定条件記憶部２３２が記憶する周波数優先度テーブルの内容例を示す図である。周波数優先度テーブルは、例えば、１行目に周波数Ａと原優先度「７」、２行目に周波数Ｂと原優先度「６」、３行目に周波数Ｃと原優先度「５」、４行目に周波数Ｄと原優先度「４」というように、各行に、周波数帯域を示す中心周波数と、原優先度とを対応付けた周波数優先度情報（第１の対応付け）を記憶する。
【００２６】
図４は、本実施形態における判定条件記憶部２３２が記憶するセル情報テーブルの内容例を示す図である。セル情報テーブルは、例えば、１行目に、セルの識別である「セルＡ０」とそのセル種別「特定契約者用セル」と周波数Ｃと受信レベルＬ２、２行目に、セルの識別である「セルＡ１」とそのセル種別「特定契約者用セル」と周波数Ｂと受信レベルＬ１、３行目に、セルの識別である「セルＢ０」とそのセル種別「マクロセル」と周波数Ｂと受信レベルＬ０、セルの識別である「セルＢ１」とそのセル種別「マクロセル」と周波数Ａと受信レベルＬ３というように、各行に、セルの識別情報と、そのセル種別と、該セルの周波数帯域を示す中心周波数と、該セルの受信レベルとを対応付けて記憶する。すなわち、セル情報テーブルは、各行に、セル情報および在圏中セルの受信レベル、または、周辺セル情報と周辺セルの受信レベルとを記憶する。なお、図４において、受信レベルＬ３＞受信レベルＬ２＞受信レベルＬ１＞受信レベルＬ０である。
【００２７】
図５は、本実施形態における制御部２３による再選択要否の決定方法とセル再選択方法とを説明するフローチャートである。ここでは、移動局装置２０は、セルＢ１に在圏しており、基地局装置３０への位置登録処理時に、セル情報を取得して、判定条件記憶部２３２に記憶しているとして説明する。まず、移動局装置２０の無線受信部２２は、アンテナ２１を介して、セルＢ１の基地局装置３１が送信するシステム情報を受信し（Ｓ１）、制御部２３の判定条件記憶部２３２に出力する。判定条件記憶部２３２は、受けたシステム情報のうち、少なくとも周波数優先度情報および周辺セル情報を記憶する。
次に、受信レベル測定部２３１は、判定条件記憶部２３２のセル情報テーブルに記憶されているセル各々の受信レベルを測定する（Ｓ２）。これにより、在圏中のセルおよび周辺セルの受信レベルが測定される。受信レベル測定部２３１は、これらの測定結果を、セル情報テーブルに記憶させる。
【００２８】
次に、セル再選択部２３４は、判定条件記憶部２３２の周波数優先度テーブルを読み出して一時的に記憶する。さらに、セル再選択部２３４は、該テーブルに記憶されている周波数各々について、セル情報テーブルを参照して、該周波数のセルのうち、受信レベルが最も高いセルのセル種別を取得する。セル再選択部２３４は、先に読み出して一時的に記憶している周波数優先度テーブルのうち、取得したセル種別が特定契約者用セルの周波数については、原優先度から、最も優先度が高いことを示す更新優先度「８」に更新し、その他の周波数については、原優先度と同じ値の更新優先度に更新する（Ｓ３）。
【００２９】
例えば、図４のセル情報テーブルを参照すると、周波数Ｂについては、特定契約者用セルであるセルＡ１が受信レベルＬ１であり、マクロセルであるセルＢ０が受信レベルＬ０であり、かつ、受信レベルＬ１＞受信レベルＬ０である。したがって、周波数Ｂのセルのうち、受信レベルが最も高いセルはセルＡ１であり、セルＡ１のセル種別は、「特定契約者用セル」であるので、セル再選択部２３４は、周波数Ｂの更新優先度を「８」とする。また、周波数Ｃのセルは、セルＡ０のみであり、セルＡ０のセル種別は、「特定契約者用セル」であるので、セル再選択部２３４は、周波数Ｃの原優先度を更新して更新優先度の「８」とする。
【００３０】
一方、周波数Ａについては、周波数ＡのセルはマクロセルであるセルＢ１のみであるため、周波数Ａの受信レベルが最も高いセルはセルＢ１である。また、セルＢ１のセル種別は、「マクロセル」であり、「特定契約者用」ではないので、周波数Ａの更新優先度を原優先度の「７」のままとする。また、周波数Ｄについては、周波数Ｄのセルは存在しないため、原更新優先度を原優先度の「４」のままとする。したがって、ステップＳ３の処理を行うと、セル再選択部２３４が一時的に記憶している周波数優先度テーブルでは、図６に示すように、周波数Ａには更新優先度「７」が、周波数Ｂには更新優先度「８」が、周波数Ｃにも更新優先度「８」が、周波数Ｄには更新優先度「４」が対応付けられている。
【００３１】
次に、セル再選択部２３４は、セル再選択評価を行う。移行条件は、前述したように、在圏セルと評価セルの優先度から決定されるため、セル再選択部２３４は、先に一時的に記憶し、更新した周波数優先度テーブルと、判定条件記憶部２３２が記憶するセル情報テーブルとを参照して、在圏中のセルと周辺セルの優先度を比較する周波数優先度判定を行う（Ｓ４）。ここでは、在圏中のセルは、周波数ＡのセルＢ１であるので、図６より、更新優先度は「７」である。評価セルは、各周波数で受信レベルが最も良いセルであり、周波数ＢのセルＡ１、および周波数ＣのセルＡ０が該当する。更新優先度は、先にステップＳ３において、図６に示すように、周波数Ｂおよび周波数Ｃ共に、更新優先度「８」に更新している。このため、周波数優先度判定では在圏セルよりも優先度が高いと判定する。
【００３２】
ステップＳ４にて、在圏中のセルより優先度が高いと判定したときは（Ｓ４−０）、ステップＳ５に遷移する。ステップＳ５では、セル再選択部２３４は、評価セル（および、在圏セル）の受信レベルがセル移行条件を満たすかどうかを判定する。本実施形態では、評価セルの優先度が在圏セルの優先度よりも高いため、移行条件ａ）を用いる。
移行条件ａ）
ＴｒｅｓｅｌｅｃｔｉｏｎＲＡＴの間、継続して（１）式を満たすこと。
ＳＮｏｎＳｅｒｖｉｎｇＣｅｌｌ，ｘ＞Ｔｈｒｅｓｈｘ，ｈｉｇｈ  ・・・（１）
但し、移行条件ａ）において、ＳＮｏｎＳｅｒｖｉｎｇＣｅｌｌ，ｘは、周辺セルｘの受信レベルを表し、Ｔｈｒｅｓｈｘ，ｈｉｇｈは、在圏中の基地局装置からシステム情報で通知される閾値を表し、ＴｒｅｓｅｌｅｃｔｉｏｎＲＡＴは、在圏中の基地局装置からシステム情報で通知される判定期間を表す。
【００３３】
ステップＳ５にて移行条件ａ）を満たすセルがあると判定したときは（Ｓ５−Ｙｅｓ）、ステップＳ６に遷移する。ステップＳ６では、セル再選択部２３４は、前のステップにて移行条件を満たすと判定したセルの中から、セル種別が「特定契約者用セル」のものを選択し、選択したセルが複数あるか否かを判定する。ステップＳ６にて、選択したセルが複数あると判定したときは（Ｓ６−Ｙｅｓ）、セル再選択部２３４は、判定条件記憶部２３２が記憶している周波数優先度テーブルを参照して、ステップＳ６において選択したセルのうち、原優先度が最も高いセルを再選択し（Ｓ７）、セル移行処理を実行する。すなわち、ステップＳ７では、ステップＳ６において選択したセルのうち、ステップＳ３にて更新する前の優先度が最も高いセルを再選択の対象とし、セル移行処理を実行する。
【００３４】
また、ステップＳ６にて、選択したセルが複数ないと判定したとき、すなわち、移行条件を満たすと判定したセルの中に、セル種別が「特定契約者用セル」のものがない、または、一つのみあるときは（Ｓ６−Ｎｏ）、セル再選択部２３４は、ステップＳ３にて一時的に記憶し、更新した周波数優先度テーブルを参照して、移行条件を満たすと判定したセルのうち、更新優先度が最も高いセルを再選択の対象とし（Ｓ８）、セル移行処理を実行する。なお、更新優先度が等しいセルが複数存在する場合、すなわち、複数のマクロセルが移行条件を満たし、かつ、優先度が等しい場合は、３ＧＰＰ仕様に従い、受信レベルが最も高いセルを再選択の対象とする。
【００３５】
また、ステップＳ４にて、評価セルの優先度が、在圏中のセルと等しいと判定したとき（Ｓ４−１）、および、在圏中のセルよりも優先度が低いと判定したとき（Ｓ４−２）は、それぞれ前述の移行条件ｂ）、移行条件ｃ）を用いてセル再選択評価を行う（Ｓ９〜Ｓ１２）。この動作は、前述の通りである。
ステップＳ５にて、移行条件ａ）を満たすセルがないと判定したときは（Ｓ５−Ｎｏ）、ステップＳ２に戻って、処理を繰り返す。
【００３６】
このように、ステップＳ６にて、移行条件を満たすセルに、種別が「特定契約者用」であるセルが複数あるときは、ステップＳ７にて、更新優先度ではなく、原優先度に基づき移行先のセルを選択するので、セル再選択による移行後に、該セルの受信レベルが低下し、同一周波数のマクロセルにさらに移行したときに、優先度が低くなることを抑えることができ、測定を行う周波数の数を抑えるとともに、ピンポン現象の発生を抑えることができる。
【００３７】
なお、ステップＳ７にて、原優先度に基づき移行先のセルを選択するのが最も好ましいが、周波数と優先度との他の対応付け（第２の対応付け）に基づき移行先のセルを選択するようにしてもよい。
【００３８】
［第２の実施形態］
以下、図面を参照して、本発明の第２の実施形態について説明する。第１の実施形態では複数の特定契約者用基地局装置がセル再選択の条件を満たす場合に、周波数優先度のみを考慮して選択している。第２の実施形態では、優先度の低い周波数の特定契約者用基地局装置と、優先度の高い周波数の特定契約者用基地局装置の受信レベルに明らかな差があるような場合は、セル再選択後の通信速度、移動局装置の送信電力の観点から、受信レベルの高い特定契約者用基地局装置を選択する。そのため、本実施形態では、第１の実施形態の動作に加えて、特定契約者用基地局装置の受信レベルによって周波数優先度を考慮して再選択先を決定するか、周波数優先度を考慮せず受信レベルだけで決定するかを切り替える。
【００３９】
図７は、本実施形態における移動局装置２０ａの構成を示す概略ブロック図である。図７において、移動局装置２０ａは、アンテナ２１、無線受信部２２、制御部２３ａ、無線送信部２４を有する。制御部２３ａは、受信レベル測定部２３１、判定条件記憶部２３２ａ、セル再選択部２３４ａを有する。同図において図２の各部に対応する部分には同一の符号（２１、２２、２４、２３１）を付け、その説明を省略する。
【００４０】
判定条件記憶部２３２ａは、図２の判定条件記憶部２３２が記憶する周波数優先度情報および周辺セル情報に加え、セル再選択方法を切り替えるための閾値Ｔｈｒｅｓｅｌｅｃｔを保持する。この閾値Ｔｈｒｅｓｅｌｅｃｔは、移動局装置２０ａが固有に保持していても良いし、システム情報などにより基地局装置から指定されても良い。
セル再選択部２３４は、セル再選択の際、受信レベルが閾値Ｔｈｒｅｓｅｌｅｃｔ以上の特定契約者用基地局装置が存在する場合、それらの特定契約者用基地局装置の中から原優先度がもっとも高いものを移行先として選択する。一方、閾値Ｔｈｒｅｓｅｌｅｃｔ以上の特定契約者用基地局装置が存在しない場合、優先度を考慮せず、最も受信レベルの高い特定契約者用基地局装置を移行先として選択する。
【００４１】
図８は、本実施形態における制御部２３ａが再選択対象のセルを決定する処理を説明するフローチャートである。同図において図５の各部に対応する部分には同一の符号（Ｓ１〜Ｓ６、Ｓ８〜Ｓ１２）を付け、その説明を省略する。図８に示すように、本実施形態における再選択対象のセルを決定する処理は、図５のステップＳ７に替えて、ステップＳ７ａを有する点のみが、第１の実施形態における処理と異なる。
【００４２】
図９は、本実施形態における再選択処理、すなわち図８のステップＳ７ａを説明するフローチャートである。ステップＳ７１では、セル再選択部２３４は、図８のステップＳ６にて選択したセル種別が「特定契約者用セル」の基地局装置に、受信レベルが閾値Ｔｈｒｅｓｅｌｅｃｔを超えるものがあるか否かを判定する。この判定にて、超えるものがあると判定したときは（Ｓ７１−Ｙｅｓ）、セル再選択部２３４は、判定条件記憶部２３２が記憶している周波数優先度テーブルを参照して、ステップＳ７１にて超えると判定した基地局装置のうち、原優先度が最も高いセルを再選択し（Ｓ７２）、再選択処理を終了する。一方、ステップＳ７１にて超えるものがないと判定したときは（Ｓ７１−Ｎｏ）、ステップＳ６にて選択したセル種別が「特定契約者用セル」の基地局装置のうち、受信レベルが最も高いセルを再選択し（Ｓ７３）、再選択処理を終了する。
【００４３】
従って、セル種別が「特定契約者用セル」である基地局装置Ａ、Ｂ、Ｃの受信レベルをそれぞれＳＡ、ＳＢ、ＳＣとし、周波数の原優先度は基地局装置Ａ＞基地局装置Ｂ＞基地局装置Ｃの場合、移動局装置２０ａは、以下のように再選択する。
＜受信レベルがＳＣ＞ＳＡ＞Ｔｈｒｅｓｅｌｅｃｔ＞ＳＢの場合＞
ステップＳ７２にて、受信レベルが閾値Ｔｈｒｅｓｅｌｅｃｔ以上の基地局装置Ａ、Ｃの中から原優先度に従い基地局装置Ａを選択する。
＜受信レベルがＴｈｒｅｓｅｌｅｃｔ＞ＳＢ＞ＳＣ＞ＳＡの場合＞
ステップＳ７３にて、原優先度を考慮せず、受信レベルが最も高い基地局装置Ｂを選択する。
【００４４】
このように、移行条件を満たすセルに、種別が「特定契約者用」であるセルが複数あるときは、ステップＳ７１にて、これらのセルのうち受信レベルが閾値Ｔｈｒｅｓｅｌｅｃｔを超えるものが無いときは、受信レベルの最も高いものとして、移行後のセルにアクセス中にセル再選択を行わなければならなくなる可能性をできるだけ低くし、閾値Ｔｈｒｅｓｅｌｅｃｔを超えるものがあるときは、原優先度に基づき移行先のセルを選択するので、移行後に、該セルの受信レベルが低下し、同一周波数のマクロセルに移行したときに、優先度が低くなることを抑えることができ、測定を行う周波数の数を抑えるとともに、ピンポン現象の発生を抑えることができる。
【００４５】
なお、第１および第２の実施形態ではＬＴＥの仕様に従って周波数の原優先度はシステム情報（System information）で通知されるとして説明したが、基地局装置から他のメッセージ（個別シグナリング等）で通知しても良いし、移動局装置２０または２０ａが独自に決定したものであっても良い。
さらに周波数の優先度はコンポーネントキャリア（3GPP TS 36.101で定義されるChannel。５ＭＨｚ、１０ＭＨｚ等の帯域幅）毎に設定されたものでも良いし、周波数バンド（３ＧＰＰ TS 25.101で定義されるFrequency band、TS 36.101で定義されるOperating band。）毎に設定されたものであっても良い。
【００４６】
また、図２におけるセル再選択部２３４、および図７におけるセル再選択部２３４ａの機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４８】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００４９】
１０、１１…特定契約者用基地局装置
２０、２０ａ…移動局装置
２１…アンテナ
２２…無線受信部
２３、２３ａ…制御部
２３１…受信レベル測定部
２３２、２３２ａ…判定条件記憶部
２３４、２３４ａ…セル再選択部
２４…無線送信部
３０、３１…基地局装置
【図１】
0005629922.tif 000002
【図２】
0005629922.tif 000003
【図３】
0005629922.tif 000004
【図４】
0005629922.tif 000005
【図５】
0005629922.tif 000006
【図６】
0005629922.tif 000007
【図７】
0005629922.tif 000008
【図８】
0005629922.tif 000009
【図９】
0005629922.tif 000010